(57)【要約】      （修正有）【課題】同じ輪ゴムを発射した場合に、有効射程距離がより長く、命中精度もより高い輪ゴム銃を提供する。【解決手段】銃身部１０と、銃身部の後方に一体的に設けられる握部１１と、銃身部先端の片面に銃身の軸線方向に回動可能に設けられ輪ゴムの一端を係止する第１プーリ２０と、銃身部後方の同側面に同じく銃身の軸線方向に回動可能に設けられ輪ゴムを束ねて引っ掛ける第２プーリ３０と、第２プーリの下方に設けられ輪ゴムの他端を係止し又は解放可能とする可動ストッパー４０とを有し、第１プーリは同軸の鋸刃ギア部を有し、銃身側に設けたラチェットと鋸刃ギアとの噛み合いにより、第１プーリの回転を前方方向に限定したことを特徴とする。【選択図】図１
0003192981.tif 000002
【実用新案登録請求の範囲】
【請求項１】
銃身部と、銃身部の後方に一体的に設けられる握部と、銃身部先端の片面に銃身の軸線方向に回動可能に設けられ輪ゴムの一端を係止する第１プーリと、銃身部後方の同側面に同じく銃身の軸線方向に回動可能に設けられ輪ゴムを束ねて引っ掛ける第２プーリと、前記第２プーリの下方に設けられ輪ゴムの他端を係止し又は解放可能とする可動ストッパーとを有することを特徴とする輪ゴム銃。
【請求項２】
前記第１プーリは同軸の鋸刃ギア部を有し、銃身側に設けたラチェットと鋸刃ギアとの噛み合いにより、第１プーリの回転を前方方向に限定したことを特徴とする、請求項１に記載の輪ゴム銃。
【請求項３】
前記銃身部の下方には、前記可動ストッパーによる輪ゴムの他端の係止を解放可能とするトリガーを有することを特徴とする、請求項１又は２のいずれかに記載の輪ゴム銃。
【考案の詳細な説明】
【技術分野】
【０００１】
本考案は、輪ゴムを発射して遊べる玩具の輪ゴム銃に関する。
【背景技術】
【０００２】
輪ゴムを飛ばして遊べる輪ゴム銃は、主に子供向けの玩具として普及してきたが、今日では全国規模の愛好家団体が存在し、輪ゴム銃の製作教室や独自のルール・基準に基づく公式射撃競技会も開催されるなど、成人の娯楽活動としても認知されている。子供向けの玩具とは異なり、競技会で使用される輪ゴム銃には、輪ゴムの飛距離や命中精度に高い水準が要求される。選手は主に自作の輪ゴム銃を使用するが、命中精度の向上や輪ゴムの装填方法に様々な工夫をこらしている。
【０００３】
輪ゴム銃に関しては、これまでにも多数の提案がなされている。その多くは、特許文献１乃至５に記載のように、事前に装填した複数の輪ゴムを連続的に発射可能とするいわゆる「連発銃」に関するものである。ただ、公式競技の種目の多くは競技開始前の装填を禁じているため連発銃は有利とはならず、有効射程距離や命中精度がより重視される。
【０００４】
一方、特許文献６に記載の輪ゴム鉄砲の命中精度向上装置は、銃身先端に水平方向に回転する張力バランスローラを輪ゴムの引っ掛け具として取り付けたもので、輪ゴムの左右方向の張力をローラの回転により均衡させることで、水平状態で発射した輪ゴムの進行方向を安定させ、命中精度の向上を図ったものである。
【特許文献１】実用新案登録第３１４６５０６号公報
【特許文献２】実用新案登録第３１５７０６９号公報
【特許文献３】実用新案登録第３１６９６２４号公報
【特許文献４】実用新案登録第３１７０５１５号公報
【特許文献５】特開２００６−２０７９８６号公開特許公報
【特許文献６】特開２００８−３０２１７８号公開特許公報
【０００５】
しかし、輪ゴム銃から発射された輪ゴムは極めて軽量で慣性が小さいだけでなく、飛翔中に空気抵抗を受けるため、その有効射程距離はせいぜい数メートルに過ぎず、前述の特許文献６に記載の発明を以てしても命中精度向上の効果も限られる。
【０００６】
また、輪ゴムを水平状態で発射する構成では、引き伸ばした輪ゴムの後端部が発射時点で解放された後、銃身部先端の引っ掛け具に係止された前端部を追い越して前方に進むため、発射後の輪ゴムは形状を円形に復帰させつつも周面を前方に向けて回転させながら飛翔する。そのため、輪ゴムの全周が空気抵抗を受けて急速に速度が低下するだけでなく、飛翔中の輪ゴムが不規則に変形することにより空気抵抗のバラつきが生じ、軌道が不安定化して命中精度を低下させるという根本的な問題があった。
【０００７】
一方、輪ゴムを垂直状態で発射すれば、進行方向に対する投影面積は最小となるため空気抵抗による減速を軽減でき、有効射程距離を伸ばすことができる。また、進行方向に向かって回転する運動体は、自転車の車輪と同様にジャイロ効果によって左右方向への安定性が高まるから、飛翔中の輪ゴムに進行方向に向けた縦回転を与えることができれば、その軌道をより安定させることができる。
【考案の開示】
【考案が解決しようとする課題】
【０００８】
本考案は、前記の点を鑑みて創作されたものであり、同じ輪ゴムを発射した場合に、有効射程距離がより長く、命中精度もより高い輪ゴム銃を提供することを課題とするものである。
【課題を解決するための手段】
【０００９】
上記の課題を解決するために、請求項１に記載した輪ゴム銃は、銃身部と、銃身部の後方に一体的に設けられる握部と、銃身部先端の片面に銃身の軸線方向に回動可能に設けられ輪ゴムの一端（以下、説明の便宜上「前端」と記す。）を係止する第１プーリと、銃身部後方の同側面に同じく銃身の軸線方向に回動可能に設けられ輪ゴムを束ねて引っ掛ける第２プーリと、前記第２プーリの下方に設けられ輪ゴムの他端（以下、説明の便宜上「後端」と記す。）を係止し又は解放可能とする可動ストッパーとを有することを特徴としている。
【００１０】
本考案の構成によれば、装填済みの輪ゴム銃の可動ストッパーを操作して輪ゴムの後端の係止を解放すると、引き伸ばされて緊張状態にあった輪ゴムの後端は、それ自体の弾性により、まず第２プーリに向かって収縮する。収縮した輪ゴムの後端は、第２プーリの外周に沿って上方に跳ね上がるとともに、銃身部前方の第１プーリに向かってさらに収縮する。この間、輪ゴムの前端は未だ第１プーリにより係止されているため、輪ゴム全体としては収縮しつつ、第１プーリを回転軸として輪ゴムの後端が進行方向に回転する回転運動が生じる。
【００１１】
さらに、輪ゴムの後端が第１プーリの上方を通過すると、第１プーリによる係止効果は失われ、輪ゴムは形状を次第に円形に復元しつつ銃身部前方へと垂直状態で射出される。この際、前述の通り回転運動が与えられているため、発射された輪ゴムは、自らの弾性によって形状を本来の円形に復元しつつ、自転車の車輪の如く前方に回転しながら標的に向かって飛翔する。かかる飛翔形態により空気抵抗の影響を抑制できるため、有効射程距離が増大し、回転運動により左右方向の軌道が安定するため命中精度も向上する。
【００１２】
なお、可動ストッパーの構成は任意であるが、輪ゴムの後端を引っ掛ける爪を有するアームを第２プーリの下側に設置した固定部材に支点軸を介してシーソー状に取付け、アームを動かすことにより爪に引っ掛けた輪ゴムが解放されるようにする構成が考えられる。
ところで、装填状態の輪ゴムは伸長されて高い緊張力が加わっているため、爪から解放された瞬間に輪ゴムの後端が不規則に振動する「暴れ」が生じて輪ゴムの飛翔形態を乱し、命中精度を低下させるおそれがある。そのため、爪の形状は、断面が四角形である輪ゴムに捩じれを生じさせることなく瞬時に解放できるよう、解放時に輪ゴムとの接触面積を極小化するよう構成することが好適である。
【００１３】
次に、請求項２に記載した考案は、請求項１に記載の輪ゴム銃であって、前記第１プーリは同軸の鋸刃ギア部を有し、銃身側に設けたラチェットと鋸刃ギアとの噛み合いにより、第１プーリの回転を前方方向に限定したことを特徴とする。
【００１４】
かかる構成によれば、輪ゴム銃に輪ゴムを装填した後、使用者が指先で第１プーリを前方に回転させることにより、輪ゴムの銃身部上側の部分のみ緊張力を高めることができる。第１プーリは、鋸刃ギアが銃身側に設けたラチェットと噛み合う構成であるので、前方方向に回転させた後に指先を離しても逆回転は防止され、輪ゴムの緊張力は維持される。
【００１５】
この状態で輪ゴム銃の可動ストッパーを操作して輪ゴムの係止を解放すれば、輪ゴムの上側が下側よりも強く収縮する。そのため、収縮した輪ゴムの後端が第２プーリの外周に沿って上方に跳ね上がる効果と相まって、発射される輪ゴムに進行方向への縦回転運動を強めることとなり、命中精度のさらなる向上を図ることができる。
【００１６】
また、通常の輪ゴム銃では、装填した輪ゴムに与える緊張力は、輪ゴムの前端を引っ掛ける引っ掛け具と後端を係止する係止具との距離によって一意に規定されるため、射出時の輪ゴムの初速、ひいては有効射程距離も固定される。しかし、本考案の構成によれば、輪ゴムの引張荷重耐性の限界範囲内で、装填後の第１プーリの回転数によって緊張力を任意に設定できるので、輪ゴムの初速の調整が可能となる。
【００１７】
最後に、請求項３に記載した考案は、請求項１又は２のいずれかに記載した輪ゴム銃であって、銃身部の下方には、前記可動ストッパーによる輪ゴムの他端の係止を解放可能とするトリガーを有することを特徴とする。トリガーは、実銃と同様の形状の引き金の操作により可動ストッパーの開閉を行えるよう、リンク機構を介して可動ストッパーと接続するように構成する。
【考案の効果】
【００１８】
本考案に係る輪ゴム銃によれば、輪ゴムを垂直状態で、かつ、進行方向に向けて円周に沿った縦回転運動をさせながら発射することができる。そのため、空気抵抗が極小となり軌道の安定化も図られ、従来の輪ゴム銃に比べて有効射程距離と命中精度を向上させることができる。
【考案を実施するための最良の形態】
【００１９】
以下、本考案の実施形態について図を用いて説明する。図１は、本考案の一実施形態に係るピストル型の輪ゴム銃の構成を示す側面図であり、図２は、その上面図である。
【００２０】
輪ゴム銃１は、銃身部１０と、銃身部の後方に一体的に設けられる握部１１と、銃身部先端の右側面に第１プーリ軸２１を介して銃身の軸線方向に回動可能に設けられて輪ゴムの前端を係止する第１プーリ２０と、銃身部後方の右側面に第２プーリ軸３１を介して銃身の軸線方向に回動可能に設けられて輪ゴムを束ねて引っ掛ける第２プーリ３０と、第２プーリの下方やや前方に設けられて輪ゴムの後端を係止し又は解放可能とする可動ストッパー４０とを有する。また、銃身部１０の後端付近には照準器１２を、前端付近には照星１３を備え、使用者は照準器１２に設けた軸線方向の溝と照星１３を一致させた軸線上にターゲットを捉えることで照準を行う。なお、２つのプーリを輪ゴム銃１の右側に設置したいるのは、右利きの使用者による輪ゴムＧの装填の便宜を考慮したものであり、左利きの使用者用にすべての構成を左右反転させても差し支えない。
【００２１】
可動ストッパー４０は、２つの固定部材４０ｂの間に挟んだアーム４０aを支点軸４０ｃで保持してシーソー状の機構を成す。輪ゴムGの装填時には、その後端をアーム４０a先端の爪４０dに引っ掛けた後に爪４０dを銃身部１０に当接させて係止し、輪ゴムGの射出時には、アーム４０aを跳ね上げて爪４０dと銃身部１０との当接を解除することにより輪ゴムGの後端を解放する。
【００２２】
また、銃身部１０の下方には、実銃と同様のトリガー４１を備える。トリガー４１は、銃身部１０の内部に設けたリンク機構４２を介して可動ストッパー４０を操作可能に構成する。なお、本実施形態でのトリガー４１は、銃身部１０の先端付近に設けたフック４３に引っ掛けたトリガー用輪ゴム４４により緊縛して前方へ付勢させてあり、使用者がトリガー４１を引いた後、これを復帰させる。
【００２３】
図３は、銃身部１０前端の第１プーリ２０の取付部分を拡大した斜視図である。第１プーリは、銃身部１０に対して右側のプーリ部２０aと左側の鋸刃ギア部２０ｂとを一体化して成り、第１プーリ軸２１を介して銃身部１０の先端付近に取付けている。輪ゴムＧの装填時には、プーリ部２０ａの前方にその前端を引っ掛けて係止し、第２プーリに向けて輪ゴムＧを引き伸ばす。
【００２４】
ここで、第１プーリは、その右側面が銃身部１０の右側面と面一を成すように埋め込み式に設置しているのに対し、第２プーリは銃身部１０の右側面上に突出して設置しているため、プーリ部２０ａと第２プーリ３０とを結ぶ軸線の方向と銃身部１０の軸線の方向とは一致せず、前者に対して後者はやや左向きにオフセットされる。そのため、装填時の輪ゴムＧは、第１プーリ２０のプーリ部２０ａに前端を係止され、銃身部１０の右側面に上下２本の中間部を接触させた上で、後方の第２プーリ３０に束ねて引っ掛けられる形となる。これにより、射出時の輪ゴムＧは、第２プーリ３０を経由して銃身部１０の右側面に沿って前進するので、第１プーリ２０と干渉することなく前方へと射出される。
【００２５】
図４は、同じく第１プーリ２０の取付部分を拡大した側面図である。第１プーリ２０の鋸刃ギア部２０ｂは、ギア歯の立ち上がり角度を、前方側で小さく、後方側で大きく構成した鋸刃状とし、銃身部１０の内部に設けたラチェット２２とギア歯とが、鋸刃ギア部２０ｂの後方で噛み合うように構成している。そのため、第１プーリ２０の回転は前方方向に限定され、逆回転が防止される。かかる構成により、輪ゴム銃１に輪ゴムＧを装填した後、使用者が指先で第１プーリ２０を前方に回転させることにより、輪ゴムＧの銃身部上側の部分のみ緊張力を高めることができる。
【００２６】
この状態で輪ゴム銃１の可動ストッパー４０を操作して輪ゴムＧの係止を解放すれば、輪ゴムＧの上側が下側よりも強く収縮し、収縮した輪ゴムＧの後端が第２プーリ３０の外周に沿って上方に跳ね上がる効果と相まって、発射される輪ゴムＧに進行方向への縦回転運動を強めることとなり、命中精度のさらなる向上を図ることができる。また、輪ゴムＧの引張荷重耐性の限界範囲内で、装填後の第１プーリ２０の回転により緊張力を高めることができるので、同じ銃身の長さの輪ゴム銃に比べてより大きな初速で輪ゴムＧを発射可能となり、有効射程距離を増加することができる。
【００２７】
図５は、本実施形態に係る輪ゴム銃１による輪ゴムＧの射出方法を右側面から見て、イ〜ホの順に段階的に説明する模式図である。イ及びロは輪ゴムＧの装填時を表し、イでは、輪ゴムＧの前端を第１プーリ２０に掛けた上で、２本の環部を束ねて第２プーリ３０の後方に引っ掛け、さらに、可動ストッパー４０のアーム４０ａの爪に後端を引っ掛けて係止する。なお、輪ゴムＧ自体の弾性により一定の緊張力を生じるため、この状態でも射出は可能である。次に、ロでは、使用者が指先で第１プーリ２０を時計廻り方向に回転させることにより、輪ゴムＧの上側の環部のみにさらに緊張力を生じさせる。
【００２８】
ハ以降は輪ゴムＧの射出時を示し、ハでは、トリガー４１の操作により可動ストッパー４０のアーム４０ａが輪ゴムＧの後端を解放する。解放された輪ゴムＧの後端は、第２プーリに向けて収縮するとともに、その外周に沿って上方に跳ね上がる。ニでは、輪ゴムＧの収縮がさらに進み、後端が上方に跳ね上がりつつ第１プーリ２０に向かって前進する。この際、輪ゴムＧの上側の環部にのみ予め追加の緊張力が与えられているため、収縮力は下側の環部よりも大きくなり、その結果、輪ゴムＧには、全体として第１プーリ２０を中心として時計廻り方向の回転運動が与えられる。
【００２９】
ホでは、輪ゴムＧは、第１プーリ２０の右側方を通過して前方に射出される。第１プーリ２０による係止が解かれたことにより、輪ゴムＧは、それ自体の弾性により円形に形状復帰しつつ飛翔するが、ニの段階で与えられた回転運動を有するため、飛翔中も前方に向けて時計廻りに縦回転する。これにより、飛翔中の輪ゴムＧは、進行方向に対する投影面積が最小となって空気抵抗による減速がされるとともに、ジャイロ効果により軌道の安定性が増して命中精度が向上するのである。
【００３０】
図６は、輪ゴム銃１を上方から見た模式図であって、図中のａ１は銃身部１０の軸線、ａ２はプーリ部２０ａと第２プーリ３０とを結ぶ軸線を表す。Ａ図に示すように、本実施形態に係る輪ゴム銃１では、ａ１とａ２とは一致せず、前者に対して後者は角度ｒだけ左向きにオフセットされるため、使用者がターゲットに対して銃身部１０の軸線を指向させて照準した場合、実際に射出される輪ゴムＧの軌道はやや左側にズレることになる。輪ゴム銃の有効射程距離と輪ゴムＧの初速を考慮すれば、かかるズレは、玩具としての実用上の問題とはならないが、競技用輪ゴム銃においては補正が望ましい場合がある。
【００３１】
これについては、たとえばＢ図に示すように、輪ゴム銃１の上面の照準器１２及び照星１３を、予め角度ｒだけオフセットさせて設置することが考えられる。かかる構成によれば、照準の軸線ａ３と輪ゴムＧの軌道ａ２の方向は一致するため、照準器１２の中央溝に照星１３を合わせてターゲットを照準することにより、射出された輪ゴムＧの軌道は角度ｒ分だけ補正され、正確にターゲットに弾着する。
【００３２】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものであり、本考案の技術的思想の範囲内に属する限り、それらは本考案の技術的範囲に属する。
【産業上の利用可能性】
【００３３】
本考案に係る輪ゴム銃は、子供向け玩具として好適であるが、簡易な構造で有効射程距離を増加させ、命中精度の向上を図れるため、成人の愛好家を対象とした競技用の輪ゴム銃として利用可能である。
【図面の簡単な説明】
【００３４】
【図１】実施形態に係る輪ゴム銃の構成を示す側面図
【図２】実施形態に係る輪ゴム銃の構成を示す上面図
【図３】第１プーリの取付部分を拡大した斜視図
【図４】第１プーリの取付部分を拡大した側面図
【図５】実施形態に係る輪ゴム銃による輪ゴムの射出方法を説明する模式図
【図６】実施形態に係る輪ゴム銃の照準補正方法を示す模式図
【符号の説明】
【００３５】
Ｇ           輪ゴム
１           輪ゴム銃
１０    銃身部
１１       握部
１２       照準器  
１３       照星
２０    第１プーリ
２０ａ  プーリ部
２０ｂ  鋸刃ギア部
２１    第１プーリ軸
２２    ラチェット
３０    第２プーリ
３１    第２プーリ軸
４０    可動ストッパー
４０ａ  アーム
４０ｂ  固定部材
４０ｃ  支点軸
４１    トリガー
４２    リンク機構
４３       フック
４４       トリガー用輪ゴム
【図１】
0003192981.tif 000003
【図２】
0003192981.tif 000004
【図３】
0003192981.tif 000005
【図４】
0003192981.tif 000006
【図５】
0003192981.tif 000007
【図６】
0003192981.tif 000008